(57)【要約】【課題】毛髪化粧料内で顔料からなる着色成分が均一に分散され易く、毛髪化粧料の吐出性及び塗布性の良好な毛髪化粧品を提供すること。【解決手段】本発明の毛髪化粧品は、平均粒径５ｎｍ以上２００ｎｍ以下の１種以上の顔料からなる着色成分、及び水溶性ポリマーを含有する流動性のある毛髪化粧料３を具備する。また、本発明の毛髪化粧品は、毛髪化粧料３を収容する容器部４、毛髪化粧料３を毛髪に塗布する塗布部２、並びに容器部４及び塗布部２を連通する液導出路５１を有する延長部５から構成される毛髪化粧料塗布具１を具備する。毛髪化粧料塗布具１の塗布部２は、吐出口２１及び櫛部２３を有し、櫛部２３が吐出口２１を囲繞するように配置された複数の櫛歯２２を有する。【選択図】図１
2015112411.tif 000002
【特許請求の範囲】
【請求項１】
平均粒径５ｎｍ以上２００ｎｍ以下の１種又は２種以上の顔料からなる着色成分、及び水溶性ポリマーを含有する流動性のある毛髪化粧料と、
前記毛髪化粧料を収容する容器部、該毛髪化粧料を毛髪に塗布する塗布部、並びに該容器部及び該塗布部を連通する液導出路を有する延長部から構成される毛髪化粧料塗布具とを具備する毛髪化粧品であって、
前記毛髪化粧料塗布具の前記塗布部が、吐出口及び櫛部を有し、該櫛部が該吐出口を囲繞するように配置された複数の櫛歯を有する毛髪化粧品。
【請求項２】
前記櫛部の前記複数の櫛歯は、前記塗布部の前記吐出口を囲繞するように略円環状に配置されている請求項１に記載の毛髪化粧品。
【請求項３】
前記水溶性ポリマーが皮膜形成能を有する請求項１又は２に記載の毛髪化粧品。
【発明の詳細な説明】
【技術分野】
【０００１】
本発明は、毛髪化粧品に関する。
【背景技術】
【０００２】
毛髪化粧料を毛髪、とくに頭髪に塗布する場合、頭髪の部位によらず全体に一様に塗布する全体塗布と、一部の頭髪を選択して塗布する部分塗布とがある。全体塗布の場合、塗布作業は容易であり自己施術可能である。一方、部分塗布は選択した毛髪のみに毛髪化粧料を塗布するという作業であって、非選択部分への誤塗布を避けて毛髪化粧料の塗布を行う必要があるため、専門技術者による施術に任せたり、或いは自己施術の場合には少量の毛髪化粧料を繰り返して塗布したりすることが一般的である。
【０００３】
この繰り返し塗布する動作を簡便にするため、本出願人は先に、毛髪化粧料を貯蔵する部位から連結部を介して塗布部へと該毛髪化粧料を供給する貯蔵部塗布部一体型道具を提案した（特許文献１，２）。
【先行技術文献】
【特許文献】
【０００４】
【特許文献１】特開２０００−１６４７０号公報
【特許文献２】特開２０１２−２３６０１６号公報
【発明の概要】
【発明が解決しようとする課題】
【０００５】
特許文献１に記載の道具によれば、道具の姿勢によらず毛髪化粧料を連続的に塗布することができる。また、特許文献２に記載の毛髪化粧品、及びそれを用いた使用方法によれば、毛髪化粧料調整時の混合性、毛髪化粧品を構成する道具からの吐出性、そして根元から毛先まで均一に塗布する塗布性のバランスをとることができる。
【０００６】
しかしながら、不溶成分である顔料からなる着色成分を含有する毛髪化粧料を使用すると、顔料の凝集、沈降等により、毛髪化粧料内で着色成分の局在がおこり、染毛結果が不均一になったり、毛髪化粧料の流動性又は吐出性が悪化したりするといった課題が生じ得ることが明らかとなった。
【０００７】
したがって本発明は、上記課題を解決する、毛髪化粧料とそれを毛髪に部分塗布可能にした特定の道具より構成される毛髪化粧品を提供することにある。
【課題を解決するための手段】
【０００８】
本発明は、平均粒径５ｎｍ以上２００ｎｍ以下の１種又は２種以上の顔料からなる着色成分、及び水溶性ポリマーを含有する流動性のある毛髪化粧料と、前記毛髪化粧料を収容する容器部、該毛髪化粧料を毛髪に塗布する塗布部、並びに該容器部及び該塗布部を連通する液導出路を有する延長部から構成される毛髪化粧料塗布具とを具備する毛髪化粧品であって、前記毛髪化粧料塗布具の前記塗布部が、吐出口及び櫛部を有し、該櫛部が該吐出口を囲繞するように略円環状に配置された複数の櫛歯を有する毛髪化粧品を提供するものである。
【発明の効果】
【０００９】
本発明によれば、毛髪化粧料内で顔料からなる着色成分が均一に分散され易く、毛髪化粧料の吐出性及び塗布性の良好な毛髪化粧品を提供することにある。
【図面の簡単な説明】
【００１０】
【図１】図１は、本発明の毛髪化粧品に用いられる毛髪化粧料塗布具の一実施形態を示す一部破断側面図である。
【図２】図２は、図１に示す毛髪化粧料塗布具の塗布部の拡大斜視図である。
【図３】図３は、図１に示す毛髪化粧料塗布具の塗布部の櫛歯台を、櫛部が突出する面側から見た平面図である。
【図４】図４は、図１に示す毛髪化粧料塗布具の塗布部と延長部との接続状態を示す部分断面図である。
【図５】図５は、図１に示す毛髪化粧料塗布具における筒状の櫛部の内側の空間内に液状又は泡状の毛髪化粧料を貯留させた状態を示す斜視図である。
【図６】図６は、図１に示す毛髪化粧料塗布具を用いて頭髪に毛髪化粧料を塗布する様子を示す斜視図である。
【発明を実施するための形態】
【００１１】
以下本発明を、その好ましい実施形態に基づき説明する。
本発明の毛髪化粧品は、頭髪が主たる適用対象であり、頭髪の染毛に用いられる。本実施形態の毛髪化粧品は、毛髪化粧料が顔料からなる着色成分を含有しており、頭髪の一時染毛に用いられる。毛髪化粧品は、（ｉ）平均粒径５ｎｍ以上２００ｎｍ以下の顔料からなる着色成分Ａ、及び水溶性ポリマーＢを含有する流動性のある毛髪化粧料、（ii）毛髪化粧料塗布具の２つを要素として具備し、これらが１つのパッケージ内に収納されたキットの形態をなしている。
【００１２】
図１には、本発明の毛髪化粧品の一要素である毛髪化粧料塗布具（以下、単に「塗布具」ともいう。）の一実施形態の一部破断側面図が示されている。塗布具１は、図１に示すように、毛髪化粧料（図示せず）を収容する容器部４、該毛髪化粧料を毛髪に塗布する塗布部２、並びに該容器部４及び該塗布部２を連通する液導出路５１を有する延長部５から構成されている。そして、塗布具１の塗布部２が、吐出口２１及び櫛部２３を有している。櫛部２３は、吐出口２１を囲繞するように略円環状に配置された複数の櫛歯２２を有している。具体的には、塗布具１は、毛髪化粧料を吐出する吐出口２１及び該吐出口２１を囲繞するように略円環状に配置された複数の櫛歯２２からなる櫛部２３を有する塗布部２と、毛髪化粧料を収容し、該毛髪化粧料を塗布部２に供給可能な容器部４と、毛髪化粧料を容器部４から塗布部２に供給するための液導出路５１を持つ延長部５を有する。
【００１３】
塗布部２は、頭髪に接触する部分であり、頭髪を櫛部２３で梳きながら該頭髪に毛髪化粧料を塗布可能になっている。塗布部２は、図２及び図３に示すように、平面視円形状の櫛歯台２０を備えており、該櫛歯台２０の中央部に、延長部５を通じて供給された毛髪化粧料が吐出される吐出口２１が開口している。櫛歯２２は、櫛歯台２０に、吐出口２１を囲繞するように略円環状に多数立設されている。これらの櫛歯２２によって、櫛歯台２０上に、円筒状の櫛部２３が形成されている。櫛歯２２及び櫛歯台２０は、合成樹脂により一体に成形されている。尚、本実施形態において、櫛歯２２及び櫛歯台２０が透明に形成されている。櫛歯２２は、図３に示すように、平面視形状及び横断面形状が円形状であり、吐出口２１を囲む円形のライン２４上に等間隔に配置されている。尤も、各櫛歯２２は、それを配置した軌跡が等方性のある図形を描くように配置されていれば、円形のライン２４上に配置されていることを要しない。例えば、正三角形、正六角形又は正八角形等の正多角形の軌跡を描くように各櫛歯２２が配置されていればよい。本発明における「略円環状」とは、このような正多角形も含む概念である。
【００１４】
図４に示すように、延長部５の上端は開口しており、開口端に環状リブ５２が突設されている。一方、塗布部２の櫛歯台２０の下面部には、環状リブ５２と相補形状をなす環状溝部２６が凹設されている。そして、環状リブ５２と環状溝部２６とが嵌合することで、延長部５と塗布部２とが結合する。延長部５の下端については、以下に述べる接続キャップ４５（図１参照）の上端と嵌合可能になっており、該嵌合によって延長部５と接続キャップ４５とが結合している。本実施形態において、液導出路５１を有する延長部５は、合成樹脂により成形されており、透明に形成されている。
【００１５】
図１に戻ると、容器部４は、スクイズ可能な有底筒状の外容器４２と、外容器４２内に配置され、口部が外容器４２の円筒状の口部内面に気密に接合された内袋４３とを有する容器本体４１と、容器本体４１の口首部に取り付けられる逆止弁４４付きの接続キャップ４５とからなる二重構造の容器からなる。接続キャップ４５の内面にはネジ山が設けられており、このネジ山は、容器本体４１の口首部の外面に設けられたネジ山と螺合可能になっている。容器部４は、外容器４２を片手で把持し、その片手で該外容器４２をスクイズすることにより、外容器４２自体又は外容器４２と内袋４３との間の空気が、内部の内袋４３を押圧し、それにより内袋４３内の毛髪化粧料が押し出されて液導出路５１を介して吐出口２１に供給される。接続キャップ４５の上部には、容器部４と塗布部２との間に所定の間隔を形成する延長部５が結合しており、延長部５の他端は、前記の櫛歯台２０の裏面側に結合している。延長部５は、内部に液導出路５１を備え、液導出路５１を介して、容器部４と吐出口２１との間を連通している。尚、上述したように、本実施形態においては、延長部５と塗布部２とが透明に形成されているので、液導出路５１を通る、着色成分を含有する毛髪化粧料が、外部から視認可能に形成されている。
【００１６】
外容器４２の円筒状の口部には、外容器４２と内袋４３との間の空間と、外容器４２の外部とを連通する吸入孔４２ａが形成されている。そして、押圧されて変形した外容器４２が、弾性復元力により元の状態に戻るときに、容器１の外部の空気が、接続キャップ４５の下端と外容器４２との間に設けた隙間４２ｂ及び前記の吸入孔４２ａを通って、外容器４２と内袋４３との間に流入する。容器部４は、このような構成を有することで、外周面を押圧して変形させる操作を繰り返すことにより、内容物である毛髪化粧料を徐々に吐出口２１から吐出させることができる。
【００１７】
容器部４に、このような二重構造の容器を用いることにより、内部の毛髪化粧料の残量が減っても、容器部４がしぼんで把持しにくくなることを防止できる。また、接続キャップ４５や、容器部４内の空間と吐出口２１とを連通する液導出路５１等に逆止弁４４を設けて、剤の吐出後に空気が液導出路５１や容器部４に逆流することを防止することにより、次回の吐出の際に、毛髪化粧料が出にくくなったり毛髪化粧料が飛び散ったりすることを防止することができる。更に逆止弁４４を設けることで、塗布部２と容器部４との空間的な位置関係がいかなる場合であっても、毛髪化粧料を塗布部２へ供給することができる。容器部４の外容器４２における接続キャップ４５に覆われていない部分から櫛部２３までの距離Ｌ（図１参照）は、頭髪への塗布状態の目視による確認性を高める観点及び塗布作業の容易等の観点から、４０ｍｍ以上２００ｍｍ以下であることが好ましく、より好ましくは７０ｍｍ以上１２０ｍｍ以下であり、更に好ましくは８０ｍｍ以上１００ｍｍ以下である。
【００１８】
以上の構成を有する塗布具１は、本発明の毛髪化粧品の使用前においては分解された状態になっていてもよい。例えば容器本体４１と、塗布部２、延長部５及び接続キャップ４５の３つが結合した部材との２パーツの状態になっていてもよい。
【００１９】
容器部４の開口部を閉栓部材で閉塞している場合には、該閉栓部材を開口部から取り外し、次いで塗布部２が取り付けられた状態の延長部５を容器部４に取り付ければよい。これによって、毛髪化粧料を収容した容器部４と、塗布部２と、延長部５とが組み付けられた状態の毛髪化粧料塗布具１が完成する。そして、この毛髪塗布具１を用いて毛髪化粧料を頭髪に塗布する。具体的には以下の操作を行う。
【００２０】
まず外容器４２を片手で把持して繰り返しスクイズすることにより、容器部４内の毛髪化粧料を塗布部２に送り、吐出口２１から毛髪化粧料を吐出させる。毛髪化粧料を塗布部２に送る際、塗布具１における延長部５と塗布部２とが透明に形成されているので、液導出路５１を通る、着色成分を含有する毛髪化粧料が、外部から視認可能であり、毛髪化粧料を吐出口から過剰に吐出し過ぎることを防止し得るとの効果を奏する。そして、図５に示すように、筒状の櫛部２３の内側に所望の量の毛髪化粧料３を溜める。次いで、毛髪化粧料３を保持した塗布部２を、図６に示すように頭部に移動し、櫛部２３を頭髪側に向けて押し当てる。引き続き、塗布部２を、頭髪の毛先方向に向けて移動させ、櫛部２３で頭髪を梳きながら、隣接した櫛歯２２間に挿入された頭髪に対して頭髪処理剤３を塗布する。先に述べたとおり、吐出口２１の櫛歯２２は、各櫛歯２２によって描かれる軌跡が等方性の図形である略円環となるように配置されているので、塗布部２の移動中に、該塗布部２の向きが意図せず変わったとしても、毛髪化粧料の塗布幅は実質的に変わらないので、毛髪化粧料を略一定の幅で容易に塗布することができる。
【００２１】
塗布部２を、頭部の頭頂部側から頭髪の毛先方向に向かって一回移動させる一度の塗布操作で、頭髪に、ある程度の塗布幅で、ある程度の長さにわたって剤を塗布できるようにする観点、及び櫛歯２２間からの化粧料の漏れ防止の観点等から、頭髪長さが約２０〜２５ｃｍのミディアムヘアの女性の場合には、櫛歯２２の高さは、５〜３５ｍｍであることが好ましく、更に好ましくは５〜３０ｍｍであり、更に好ましくは６〜２５ｍｍ、更に好ましくは６．５〜２３ｍｍ、一層好ましくは７〜２０ｍｍである。同様の観点等から、櫛歯２２の基端部の断面中心が外接して通る円状ライン２４の内径Ｌ４（図３参照）は、５〜３０ｍｍであることが好ましく、より好ましくは５〜２０ｍｍ、更に好ましくは５〜１５ｍｍであり、一層好ましくは８〜１３ｍｍである。かかる内径Ｌ４の範囲は、ストリーク施術を行う場合に好ましい筋幅となる範囲でもある。内径Ｌ４を前記の範囲内にすることで、ストリーク施術の筋幅を適切にでき自然な仕上がりを達成することができる。本発明において、ストリーク施術とは、頭髪の一部を、その根本から毛先にわたって筋状に脱色又は染毛することである。なお、本発明において、櫛部の内径とは、櫛歯２２の基端部の断面中心が外接して通る円状ラインの内径をいう。また、櫛歯２２の幅Ｗは、櫛歯の機械的強度を上げると共に、櫛歯を毛髪に挿入させ易くさせる観点から、０．１ｍｍ以上５ｍｍ以下であることが好ましく、より好ましくは０．１ｍｍ以上３ｍｍ以下であり、更に好ましくは０．５ｍｍ以上２．５ｍｍ以下である。幅Ｗとは、吐出口中央部側から櫛歯をみたときの投影幅である（図３）。
【００２２】
本実施形態において、櫛歯２２は、先端２２ｓを有する先端部２２ａと、該先端部２２ａよりも櫛歯台２０寄りに位置する基端部２２ｂとを有している。櫛歯２２の先端２２ｓは、図４に示す如き側面視において櫛歯２２の軸方向外方に向けて凸の弧状をなしている。基端部２２ｂは、その長さ方向の全長にわたって前記幅Ｗ（直径）が一定であるのに対し、先端部２２ａは、その先端から基端部２２ｂに向かうに従って前記幅Ｗ（直径）が漸次減少しており、先端側が基端側に比して幅（直径）の大きい逆テーパー形状をなしている。先端部２２ａと基端部２２ｂとの境界は、櫛歯２２の長手方向（起立方向）の略中央か、該中央よりもやや櫛歯台２０寄りに存する。
【００２３】
本発明の毛髪化粧品が、前記の関係を満たす場合、液導出路５１の直径ａの値そのものは、好ましくは２ｍｍ以上５０ｍｍ以下、更に好ましくは３ｍｍ以上３０ｍｍ以下、一層好ましくは３ｍｍ以上１５ｍｍ以下、更に一層好ましくは５ｍｍ以上１０ｍｍ以下とする。液導出路５１の直径ａをこの範囲内に設定することで、均一に着色成分Ａの分散された毛髪化粧料３の吐出性及び吐出量の制御が良好になるばかりでなく、塗布具１を手で把持したときの保持性も良好になり、また塗布具１のデザイン性も高くなる。
一方、毛髪化粧料３の粘度そのものは、３０℃において３Ｐａ・ｓ以上３０Ｐａ・ｓ以下であり、５Ｐａ・ｓ以上２０Ｐａ・ｓ以下であることが好ましく、７Ｐａ・ｓ以上１５Ｐａ・ｓ以下であることが更に好ましく、８．５Ｐａ・ｓ以上１３Ｐａ・ｓ以下であることが一層好ましい。毛髪化粧料３の粘度をこの範囲に設定することで、毛髪化粧料３内での着色成分Ａの分散性が向上するとともに、該毛髪化粧料３の吐出性が良好になり、更に、塗布時に毛髪化粧料３が垂れ落ちることが効果的に防止され、かつ毛髪上での毛髪化粧料３の延び性も良好になる。なお、毛髪化粧料３の３０℃における粘度は、粘度計（東機産業株式会社製 モデルTVB-10R、T-BAR STAGE TS-10）を用い、スピンドルＮｏ．Ｔ−Ｃ、回転数１０ｒｐｍの条件下に３０℃で１分間回転させた後の値とする。但し、粘度が２Ｐａ・ｓ以下の場合、粘度計（東機産業株式会社製 モデルTVB-10M）を用い、スピンドルＮｏ．４、回転数３０ｒｐｍの条件下に３０℃で１分間測定された値である回転させた後の値とする。
【００２４】
本発明の毛髪化粧品においては、塗布具１の全長も、該塗布具１の操作性や、毛髪化粧料３の吐出性に影響を及ぼす要因の一つである。この観点から、塗布具１の全長、すなわち図１に示す正立状態における最低部から最高部までの長さは、好ましくは５ｃｍ以上４０ｃｍ以下、より好ましくは１０ｃｍ以上４０ｃｍ以下、更に好ましくは１５ｃｍ以上３０ｃｍ以下、一層好ましくは２０ｃｍ以上２５ｃｍ以下に設定する。
【００２５】
先に述べたとおり、本発明の毛髪化粧品において用いられる毛髪化粧料３は、粉末成分である顔料を分散した流動性のある毛髪化粧料である。毛髪化粧料３中での顔料からなる着色成分の分散性は、該毛髪化粧料３の染毛性能に影響を及ぼす一因である。したがって、顔料からなる着色成分の均一分散は非常に重要である。毛髪化粧料３における着色成分を均一に分散させる観点から、着色成分Ａに用いる顔料の平均粒径と、毛髪化粧料３の粘性との関係が重要となる。以下、毛髪化粧料３について具体的に説明する。
【００２６】
着色成分Ａに用いる顔料の平均粒径は、毛髪化粧料３における着色成分を均一に分散させる観点から、平均粒径５ｎｍ以上２００ｎｍ以下であり、５ｎｍ以上１８０ｎｍ以下であることが好ましく、５ｎｍ以上１５０ｎｍ以下であることが更に好ましく、５ｎｍ以上１４０ｎｍ以下であることが特に好ましい。なお、顔料の平均粒径は、レーザー回折散乱式粒度分布測定法（日局のレーザー回折による粒子径測定法）により測定した値である。
顔料としては、その形状（球状、針状、板状等）、粒子構造（多孔質、無孔質等）を問わず、いずれのものも使用することができる。例えば無機顔料、有機顔料、パール顔料、金属粉末顔料、光輝性粉体等が挙げられる。
無機顔料としては、具体的には、カーボンブラック、黒酸化鉄、黒酸化チタン等の無機黒色系顔料；酸化鉄（べんがら）、水酸化鉄、チタン酸鉄等の無機赤色系顔料；γ−酸化鉄等の無機褐色系顔料；黄酸化鉄、黄土等の無機黄色系顔料；群青、紺青等の無機青色系顔料；マンガンバイオレット、コバルトバイオレット等の無機紫色系顔料；酸化クロム、水酸化クロム、チタン酸コバルト等の無機緑色系顔料；酸化チタン、酸化亜鉛、酸化セリウム等の無機白色系顔料等が挙げられる。これらのうち、カーボンブラック、黒酸化鉄、黒酸化チタン、酸化鉄（べんがら）、黄酸化鉄、群青、紺青が好ましい。
【００２７】
有機顔料としては、赤色201号、赤色202号、赤色203号、赤色204号、赤色205号、赤色206号、赤色207号、赤色208号、赤色219号、赤色220号、赤色221号、赤色228号、赤色404号、赤色405号、だいだい色203号、だいだい色204号、だいだい色401号、黄色205号、黄色401号、青色404号等が挙げられ、このうち、赤色202号、赤色404号、黄色205号、黄色401号、青色404号が好ましい。
【００２８】
パール顔料としては、パール粉末、オキシ塩化ビスマス、雲母、金属酸化物被覆雲母（例えば、雲母チタン、酸化鉄被覆雲母、酸化鉄被覆雲母チタン、黒酸化鉄被覆雲母、黒酸化鉄被覆雲母チタン、黄酸化鉄被覆雲母、酸化鉄・黒酸化鉄被覆雲母チタン、紺青被覆雲母チタン、酸化鉄・紺青被覆雲母チタン、カルミン被覆雲母チタン、硫酸バリウム被覆雲母チタンなど）、金属酸化物被覆アルミナフレーク、金属酸化物被覆シリカフレーク、金属酸化物被覆ガラス（酸化チタン被覆ガラスなど）、多層コートパール顔料（例えば、TiO2-SiO2-TiO2-Mica等）等が挙げられる。
金属粉末顔料としては、金粉、銀粉、銅粉、アルミニウム粉、真鍮粉等が挙げられる。
光輝性粉体としては、ポリエチレンテレフタレート・アルミニウム・エポキシ積層体、ポリエチレンテレフタレート・ポリオレフィン積層フィルム体等が挙げられる。
【００２９】
顔料は、これらの１種を単独で又は２種以上を混合して用いることができる。着色成分Ａの含有量は、着色性、色移りのしにくさ、塗布後の感触と塗布しやすさの観点から、毛髪化粧料中に好ましくは０．０１質量％以上３０質量％以下、より好ましくは０．１質量％以上２５質量％以下、更に好ましくは０．３質量％以上２０質量％以下、更に一層好ましくは０．５質量％以上１０質量％以下、特に好ましくは０．７５質量％以上５質量％以下である。
【００３０】
水溶性ポリマーＢは、形成される毛髪化粧料３に粘性を付与する役割を担うものである。本発明において、水溶性ポリマーとは、１００℃で２時間乾燥させた後、２５℃の水１００ｇに溶解させたときに、その溶解度が２０ｇ以下、好ましくは５ｇ以下、より好ましくは１ｇ以下のポリマーをいう。この水溶性ポリマーは皮膜形成能を有することが好ましい。
水溶性ポリマーＢとしては、天然ポリマー、半合成ポリマー、合成ポリマーのいずれでも使用することができる。
天然ポリマーの例としては、キサンタンガム、カラギーナン、アルギン酸等が挙げられる。半合成多糖系ポリマーとしては、ヒドロキシセルロース、ヒドロキシプロピルセルロース、カルボキシメチルセルロースナトリウム、メチルセルロース、ヒドロキシメチルセルロース、カチオン化セルロース等の変性多糖類が挙げられる。合成ポリマーとしてはカルボマー（架橋ポリアクリル酸）、ポリアクリル酸、ポリアクリル酸ナトリウム、アクリル酸／メタクリル酸アルキル共重合体等のアクリル系ポリマー；ポリビニルピロリドン、ポリビニルアルコール、カチオン化ポリビニルピロリドン等が挙げられる。これらのうち、カルボマー、アクリル酸／メタクリル酸アルキル共重合体、ヒドロキシプロピルセルロース、カルボキシメチルセルロースナトリウムから選ばれる１種以上が好ましい。
カルボマーの市販品としては、カーボポール９１０、カーボポール９３４、カーボポール９４０、カーボポール９４１、カーボポール９８０、カーボポール９８１（以上Ｌｕｂｒｉｚｏｌ  Ａｄｖａｎｃｅｄ  Ｍａｔｅｒｉａｌｓ，Ｉｎｃ．製）等が、アクリル酸／メタクリル酸アルキル共重合体の市販品としては、カーボポール１３８２、カーボポールＥＴＤ２０２０、ＰＥＭＵＬＥＮ  ＴＲ−１、ＰＥＭＵＬＥＮ  ＴＲ−２（以上、Ｌｕｂｒｉｚｏｌ  Ａｄｖａｎｃｅｄ  Ｍａｔｅｒｉａｌｓ，Ｉｎｃ．製）等が、ヒドロキシプロピルセルロースの市販品としては、ＨＰＣ−Ｍ、ＨＰＣ−Ｈ（日本曹達製）等が、カルボキシメチルセルロースナトリウムの市販品としては、ＣＭＣダイセル（ダイセル化学工業製）等が挙げられる。が挙げられ、これらの１種を単独で又は２種以上を混合して用いることができる。水溶性ポリマーＢの含有量は、毛髪化粧料３における着色成分を均一に分散させる観点から、毛髪化粧料中に好ましくは０．０５質量％以上２０質量％以下、より好ましくは０．０８質量％以上１０質量％以下、更に好ましくは０．１質量％以上５質量％以下、更に一層好ましくは０．１５質量％以上３質量％以下である。
【００３１】
着色成分Ａと水溶性ポリマーＢとの質量比は、着色成分Ａの毛髪化粧料内での分散性を向上させる観点から、好ましくは９９：１〜１：９９、より好ましくは９７：３〜２０：８０、更に好ましくは９５：５〜３０：７０、更に一層好ましくは９３：７〜５０：５０、特に好ましくは９０：１０〜７０：３０である。
【００３２】
毛髪化粧料３には、以上の各成分（着色成分Ａ、及び水溶性ポリマーＢ）以外に、種々の目的で、当該技術分野において従来用いられている成分を配合してもよい。このような種々の成分の配合目的としては、浸透促進、パール化、防腐、金属封鎖、安定化、酸化防止、紫外線吸収、保湿、製品着色、コンディショニング、増粘、賦形、溶解、付香等を挙げることができる。より具体的には、動植物油脂、湿潤剤、安定剤、溶剤、増粘剤、賦形剤、コンディショニング剤、高級脂肪酸、防腐剤、キレート剤、タンパク質、タンパク質加水分解物、アミノ酸、植物抽出物、紫外線吸収剤、ビタミン、着色剤、香料等が挙げられる。更に具体的には、８−キノリノール硫酸塩、ＥＤＴＡ−２Ｎａ、ＥＤＴＡ−４Ｎａ、アーモンドタンパク、アラニン、アルギニン、イソステアリルグリセリル、イソステアリルグリセリルペンタエリスリチル、イソプロパノール、エタノール、エチドロン酸、エチルパラベン、オレイン酸、カーボンブラック、カミツレエキス、キサンタンガム、グリセリン、グンジョウ、ケイソウ土、コーンスターチ、酸化チタン、シリカ、ステアリン酸、ステアリン酸カルシウム、セルロースガム、ソルビン酸Ｋ、炭酸マグネシウム、ツバキ油、ナイアシンアミド、パンテノール、ヒドロキシエチルセルロース、ヒドロキシステアリン酸グリセリル、ヒバマタエキス、プロパノール、プロピレングリコール、ベンジルアルコール、ベンゾフェノン−３、ベンゾフェノン−４、ポリクオタニウム−２２、ポリクオタモウム−６、ポリクオタニウム−１０、ミネラルオイル、ミリスチン酸、メチルパラベン、ラウリン酸、ローズマリー油、黄鉛、加水分解アーモンドタンパク、加水分解コムギタンパク、小麦胚芽タンパク等が挙げられる。
【００３３】
以上の構成を有する本実施形態の毛髪化粧品においては、毛髪化粧料３中に着色成分Ａが均一分散し易い。その為、本実施形態の毛髪化粧品においては、毛髪化粧料塗布具１を構成する塗布部２の吐出口２１からの毛髪化粧料３の吐出性が向上する。また、毛髪化粧料塗布具１が、毛髪化粧料３を吐出する吐出口２１を囲繞するように配置された複数の櫛歯２２を有しており、図５に示すように、複数の櫛歯２２からなる櫛部２３の内側に所望の量の毛髪化粧料３を溜め、次いで、毛髪化粧料３を保持した塗布部２を、図６に示すように頭部に移動し、櫛部２３を押し当て、引き続き、頭髪の毛先方向に向けて移動させ、櫛部２３で頭髪を梳きながら、隣接した櫛歯２２間に挿入された頭髪に対して頭髪処理剤３を塗布できるので、塗布性も向上する。特に、本実施形態の毛髪化粧品においては、毛髪化粧料塗布具１の複数の櫛歯２２が、毛髪化粧料３を吐出する吐出口２１を囲繞するように略円環状に配置されているので、複数の櫛歯２２からなる櫛部２３の内側に所望の量の毛髪化粧料３を溜め易く、頭髪への塗布性が更に向上する。
【００３４】
以上、本発明をその好ましい実施形態に基づき説明したが、本発明は前記の実施形態に制限されない。例えば前記の実施形態で用いた塗布具１における塗布部２の櫛歯２２は略円環状に配置されていたが、これに代えて、各櫛歯２２が吐出口２１を囲繞するように配置されている限り、各櫛歯２２は略円環状以外の配置状態になっていてもよい。例えば各櫛歯２２の描く軌跡が長円形や楕円形等の異方性を有する形状となるような配置状態になっていてもよい。また、塗布具１における櫛歯２２は、先端側が基端側に比して幅（直径）の大きい逆テーパー形状部分（先端部２２ａ）を有していたが、逆テーパー形状部分を有していなくてもよく、櫛歯２２の全長にわたって幅（直径）が一定であってもよい。更にまた、塗布具１においては、延長部５と塗布部２とが透明に形成されているが、不透明に形成されていてもよい。
【００３５】
以下、実施例により本発明を更に詳細に説明する。しかしながら本発明の範囲は、かかる実施例に制限されない。
【００３６】
〔実施例１〕
以下の表１に示す、顔料からなる着色成分Ａ、及び水溶性ポリマーＢを含有する毛髪化粧料を調製した。毛髪化粧料１を、図１に示す毛髪化粧料塗布具１の容器部４に収容して毛髪化粧品となした。塗布具の寸法は表２に示すとおりである。
【００３７】
【表１】
2015112411.tif 000003
【００３８】
【表２】
2015112411.tif 000004
上述のようにして得られた実施例１の毛髪化粧品を以下のように使用した。即ち、先ず、容器部４を把持してスクイズし、毛髪化粧料３を、延長部５を介して容器部４から塗布部２へ供給し、塗布部２の複数の櫛歯２２で囲まれた領域に保持させた。次いで、塗布部２をマネキンヘッドの毛髪の根元部に当て、毛先方向へ移動させて毛髪化粧料３を塗布した。このとき、塗布部２に保持した毛髪化粧料３を塗布の途中で使い切ってしまい毛先まで塗布できない場合には、塗布の途中で容器部４を軽くスクイズして毛髪化粧料３を塗布部に供給しながら塗布を行った。
【００３９】
以上の実施例１の毛髪化粧品の操作を、染毛の施術経験の豊富な５人のパネラーに使用させ、毛髪化粧料の吐出のしやすさ、均一吐出、均一塗布の各項目に関して、直接判定法の、非制限的選択回答方式で評価させた。すなわち、長さ5cmの直線を水平に引き、吐出のし易さであれば、直線の左端が「非常に吐出しにくい」、右端が「非常に吐出しやすい」として、実施例１の評価をこの直線状の左端から何cmの位置になるかチェックすることであらわした。均一吐出、均一塗布に関しても同様に、左端を「非常に不均一」、右端を「非常に均一」として評価させた。吐出のしやすさ、均一吐出、均一塗布の各項目で左端から4cm上離れた点にマークを付けたパネラーの人数を以下の表４に示す。
【００４０】
〔実施例２〕
表３に示す、顔料からなる着色成分Ａ、及び水溶性ポリマーＢを含有する毛髪化粧料を用いる以外は実施例１と同様にして毛髪化粧品を得た。得られた毛髪化粧品について実施例１と同様の評価を行った。その結果を以下の表４に示す。
【００４１】
【表３】
2015112411.tif 000005
【００４２】
【表４】
2015112411.tif 000006
表４に示す結果から明らかなとおり、各実施例の毛髪化粧品は、毛髪化粧料の吐出が行いやすく、塗布が行いやすいことがわかった。また、各実施例の毛髪化粧品は、毛髪化粧料が頭皮へ付着し難く、製品として使用し易いことがわかった。
【符号の説明】
【００４３】
１  毛髪化粧料塗布具
２  塗布部
２１  吐出口
２２  櫛歯
３  毛髪化粧料
４  容器部
４１  容器本体
４５  接続キャップ
５  延長部
５１  液流出路
【図１】
2015112411.tif 000007
【図２】
2015112411.tif 000008
【図３】
2015112411.tif 000009
【図４】
2015112411.tif 000010
【図５】
2015112411.tif 000011
【図６】
2015112411.tif 000012